(57)【要約】【課題】中皿を容器本体の開口部から容易に取り外すことが可能なパウダー容器を提供する。【解決手段】パウダー取り出し空間１５をその底部上面１１ａおよび壁部内面１２ａで区画形成する中皿１０の壁部外面１２ｂが、パウダーＰを収納する容器本体８の開口部９に嵌脱可能に圧接されたパウダー容器１において、中皿１０にその壁部内面１２ａから出没自在に、中皿１０を開口部９から離脱させる取っ手１６を一体的に形成した。取っ手１６は、中皿１０に対してこれを折り畳み可能とするヒンジ１７を有する。【選択図】          図１
2004180875.tif 000002
【特許請求の範囲】
【請求項１】
パウダー取り出し空間をその内面で区画形成する中皿の外面が、パウダーを収納する容器本体の開口部に嵌脱可能に圧接されたパウダー容器において、
上記中皿にその内面から出没自在に、該中皿を上記開口部から離脱させる取っ手を一体的に形成したことを特徴とするパウダー容器。
【請求項２】
前記取っ手は、中皿に対してこれを折り畳み可能とするヒンジを有することを特徴とする請求項１に記載のパウダー容器。
【発明の詳細な説明】
【０００１】
【発明の属する技術分野】
本発明は、中皿を容器本体の開口部から容易に取り外すことが可能なパウダー容器に関する。
【０００２】
【従来の技術】
一般に、この種のパウダー容器は、パウダーを収納する容器本体と、パウダーを一時的に溜めるパウダー取り出し空間をその内面で区画形成するとともに、このパウダー取り出し空間へパウダーを取り出す小穴を有する穴あき中皿とから主に構成され、この穴あき中皿を容器本体の開口部に取り外し可能に嵌合し、パフをパウダー取り出し空間内に差し入れた状態で容器本体を傾けるなどして、小穴からこぼれ出るパウダーをパフに付着させるようにしている。
【０００３】
このようなパウダー容器において、従来にあっては、パウダーの補充操作の利便性を考慮して、剥離可能なシートで密封される廃棄可能な簡易な容器に補充用のパウダーを詰めてこれをレフィルとし、シートを剥がしたレフィルを、穴あき中皿を取り外した容器本体内に収納して、再度穴あき中皿を取り付けるようにし、このレフィルの交換操作によって、パウダーの補充を行うようにしたものが知られている（例えば、特許文献１参照）。
【０００４】
【特許文献１】
特開２０００−１２５９２８号公報
【０００５】
【発明が解決しようとする課題】
ところで、上記従来のパウダー容器にあっては、穴あき中皿を容器本体の開口部から取り外す操作がたいへんであるという課題があった。
【０００６】
具体的に説明すると、パウダーを補充することができるように、穴あき中皿を容器本体の開口部に取り外し可能に嵌合する一方で、これら開口部と穴あき中皿との間からパウダーが漏れ出てパウダー容器の外回りが汚損されることを懸念して、取り外し可能であるとはいえ、パウダー漏れが生じないように、穴あき中皿の外面を容器本体の開口部にきつく圧接させるようにしていて、このために穴あき中皿を容器本体から取り外すことが困難で、パウダーの補充操作がたいへんであるという問題があった。
【０００７】
本発明は上記従来の課題に鑑みて創案されたものであって、中皿を容器本体の開口部から容易に取り外すことが可能なパウダー容器を提供することを目的とする。
【０００８】
【課題を解決するための手段】
本発明にかかるパウダー容器は、パウダー取り出し空間をその内面で区画形成する中皿の外面が、パウダーを収納する容器本体の開口部に嵌脱可能に圧接されたパウダー容器において、上記中皿にその内面から出没自在に、該中皿を上記開口部から離脱させる取っ手を一体的に形成したことを特徴とする。
【０００９】
これにより、取っ手を中皿の内面から突出させることで、この取っ手を利用して中皿を容器本体の開口部から容易に取り外すことが可能になるとともに、取っ手を中皿の内面に没入させることで、取っ手がパウダーを使用する際の邪魔になることもない。さらに、取っ手を中皿にその内面から出没自在に形成したので、中皿の外面と容器本体の開口部との圧接をきつく設定することが可能で、従来と遜色なくパウダー漏れを防止し得る。また、取っ手を中皿と一体的に形成したので、部品点数や組立工数の増加を防止し得る。
【００１０】
また、前記取っ手は、中皿に対してこれを折り畳み可能とするヒンジを有することを特徴とする。これにより、簡単な構成で取っ手を中皿から出没させることが可能となる。
【００１１】
【発明の実施の形態】
以下に、本発明にかかるパウダー容器の好適な一実施形態を、添付図面を参照して詳細に説明する。本実施形態にかかるパウダー容器１は図１〜図６に示すように、蓋体２が螺合されるネジ部３が外周面４上部に形成されるとともに、底板５上に内周面６で取り囲んだ収納空間７内にパウダーＰを収納する容器本体８と、この容器本体８の内周面６上部で区画される開口部９に設けられる合成樹脂製の中皿１０とから主に構成される。図示例にあっては、容器本体８および中皿１０はともに、平面外形輪郭が円形状に形成されている。
【００１２】
中皿１０は、収納空間７内のパウダーＰを取り出すための小孔２２が多数形成された底部１１と、この底部１１外周縁に一体的に上方へ立ち上げて形成された環状の壁部１２と、この壁部１２の上端にその周方向に沿って外方へ張り出して一体的に形成され、蓋体２に設けられた環状リブ１３と液密に当接されるフランジ部１４とから構成され、底部１１の上面１１ａと壁部１２の内面１２ａとからなる中皿１０の内面で取り囲まれた内部に、パフなどの化粧具Ｔを収納するとともに、小孔２２からこぼれ出たパウダーＰを取り出し操作するためのパウダー取り出し空間１５が区画形成される。
【００１３】
中皿１０は、フランジ部１４が容器本体８の上端に係止された状態で、中皿１０の外面である壁部１２の外面１２ｂが開口部９を区画する内周面６上部に圧接されることにより、容器本体８の開口部９に上方へ向かって離脱可能に嵌合される。特に、中皿１０と開口部９との間からパウダーＰが漏れ出ることを阻止するために、壁部１２の外面１２ｂは容器本体８の内周面６上部にきつく圧接される。
【００１４】
中皿１０には、その内面、すなわち底部上面１１ａから壁部内面１２ａにわたる間に、これより出没自在に、言い換えれば中皿１０の内面にこれより出し入れ自在に、中皿１０を開口部９から離脱させる取っ手１６が設けられる。図示例にあっては取っ手１６は、中皿１０の壁部１２の適宜位置に一つに設けられている。しかしながらこの取っ手１６は、中皿１０の底部１１に設けてもよく、またその数も複数であっても良い。
【００１５】
取っ手１６は図３に示すように、中皿１０の壁部１２の高さの半分を超える程度の長さで形成され、その一端にその幅方向に沿うヒンジ１７を有する。またこの取っ手１６の他端は、当該取っ手１６の厚さ方向に二股に分岐され、分岐された一方は斜めに長く延出されて指掛け片１８として形成されるとともに、他方はわずかに突出されて係止突起１９として形成される。そしてこの取っ手１６は、その表裏の係止突起１９が中皿１０の壁部１２側に、また指掛け片１８がパウダー取り出し空間１５側に位置される配置で、ヒンジ１７を有する一端が壁部１２の上端部に連結されることにより、中皿１０と一体的に形成される。
【００１６】
ヒンジ１７は図５に示すように、中皿１０の外方に向かって形成された外向きのＶ字状溝で構成され、Ｖ字状溝を広げるように折り曲げることで、取っ手１６は中皿１０に対して、その壁部１２上に起立した状態から壁部内面１２ａに向かって折り畳み可能に畳み込まれるようになっている。また壁部内面１２ａには、これをほぼ取っ手１６の厚みで窪ませて、畳み込まれた当該取っ手１６を格納するための溝２０が形成される。
【００１７】
この溝２０の下端には、取っ手１６が畳み込まれることで進入してくる係止突起１９と係脱自在に係合して、取っ手１６を畳み込んだ状態で中皿１０に保持する係止凹部２１が形成される。そして係止突起１９が係止凹部２１に係止されることで、中皿１０のパウダー取り出し空間１５内には、指掛け片１８のみが露出されるようになっている。
【００１８】
次に、本実施形態のパウダー容器１の作用について説明する。パウダーＰをパフなどの化粧具Ｔに付着させる際には、従来と同様に、化粧具Ｔをパウダー取り出し空間１５内に差し入れ小孔２０に押し付けた状態で、容器本体８を傾けるなどして、小孔２２からパウダー取り出し空間１５へとこぼれ出たパウダーＰを化粧具Ｔに付着させる。
【００１９】
容器本体８内の収納空間７にパウダーＰを補充する際には、中皿１０を取り外して開口部９を開放する。この際には図示したように、指掛け片１８に指を掛けて引くことにより、係止凹部２１から係止突起１９を離脱させて取っ手１６を溝２０から引き出し、さらにヒンジ１７を利用して取っ手１６を壁部１２の上端部上に、中皿１０の引き上げ方向である開口部９上方へ向かって起立させる。
【００２０】
このように起立された取っ手１６は中皿１０の壁部１２への折り返しを利用した相当の長さを有していて、展開することで中皿１０の外方へ長く延出させることができ、中皿１０に操作力を加える手がかりとして好都合である。そして、この取っ手１６を利用して中皿１０を引き上げることにより、容器本体８の開口部９を開放することができる。
【００２１】
他方、中皿１０を容器本体８の開口部９に再度取り付けるにあたっては、その前後において、ヒンジ１７を介して中皿１０に対し取っ手１６を畳み込んで溝２０内に押し入れ、さらに係止突起１９を係止凹部２１に係合させれば、指掛け片１８のみを残して、取っ手１６を中皿１０の壁部内面１２ａに没入させて保持させることができる。そして従来と同様に、中皿１０を開口部９に押し込むようにすれば、中皿１０の壁部外面１２ｂを容器本体８の内周面６にきつく圧接させて嵌合させることができる。
【００２２】
以上説明したように、本実施形態にかかるパウダー容器１にあっては、中皿１０にその壁部内面１２ａから出没自在に、中皿１０を容器本体８の開口部９から離脱させる取っ手１６を一体的に形成したので、この取っ手１６を利用して中皿１０を容器本体８の開口部９から軽い操作力で取り外すことができ、パウダーＰの補充操作を容易に行うことができる。また、取っ手１６を中皿１０の壁部内面１２ａに没入させるようにしたので、パウダーＰを使用する際に取っ手１６が邪魔になることを防止することができる。
【００２３】
さらに、取っ手１６を中皿１０の壁部内面１２ａから出没自在としたので、中皿１０の壁部外面１２ｂと容器本体８の開口部９との圧接をきつく設定することができ、従来と遜色なくパウダー漏れを防止することができる。また、取っ手１６を中皿１０と一体的に形成したので、部品点数や組立工数の増加を防止することができる。また、取っ手１６に、中皿１０に対してこれを折り畳み可能とするヒンジ１７を備えたので、簡単な構成で取っ手１６を中皿１０から出没させることができる。
【００２４】
上記実施形態にあっては、中皿１０にその壁部内面１２ａから出没自在に設けた取っ手１６を例示して説明したが、取っ手１６は、中皿１０の底部上面１１ａにヒンジを介して出没自在に設けるようにしてもよく、また出没させる構造としては、ヒンジを用いた折り畳み式に限らず、スライド式などの構造を採用するようにしても良いことはもちろんである。
【００２５】
【発明の効果】
以上要するに、本発明にかかるパウダー容器にあっては、中皿を容器本体の開口部から軽い操作力で簡単に取り外すことができる。
【図面の簡単な説明】
【図１】本発明にかかるパウダー容器の好適な一実施形態を示す一部破断分解斜視図である。
【図２】図１のパウダー容器の側断面図である。
【図３】図２のＡ部拡大断面図である。
【図４】図１のパウダー容器の取っ手を起立させた状態を示す斜視図である。
【図５】図１のパウダー容器の取っ手を起立させた状態の要部拡大断面図である。
【図６】図１のパウダー容器の中皿を開口部から取り外す状態を示す側断面図である。
【符号の説明】
１  パウダー容器                    ８  容器本体
９  開口部                          １０  中皿
１１ａ  底部上面                    １２ａ  壁部内面
１２ｂ  壁部外面                    １５  パウダー取り出し空間
１６  取っ手                        １７  ヒンジ
Ｐ  パウダー
【図１】
2004180875.tif 000003
【図２】
2004180875.tif 000004
【図３】
2004180875.tif 000005
【図４】
2004180875.tif 000006
【図５】
2004180875.tif 000007
【図６】
2004180875.tif 000008